(57)【要約】【課題】本発明は、寝具の乾燥は基より、清掃もできる寝具清掃機能付き乾燥機に関するものである。【解決手段】一端に吸込口と他端に排気口を有する本体ケース、前記吸込口の近傍に設けられた電動送風機、前記排気口の近傍に設けられた発熱体とから成る乾燥機体と、接続口と集塵室を有する集塵ケース体と清掃ブラシ体を有する吸込具から成る清掃具体と、熱風を移動させる熱風移動体に取り付けられる布団乾燥用のマット体から成る乾燥具体と、浮遊粉塵捕集用のフィルターを有する浮遊粉塵捕集具体を備え、寝具清掃時においては、前記乾燥機体の吸込口に前記清掃具体を取り付け、寝具乾燥時においては、前記乾燥機体の吸込口に前記浮遊粉塵捕集具体を、前記乾燥機体の排気口に前記乾燥具体をそれぞれ取り付けて使用する構成としている。【選択図】図１
2016059476.tif 000002
【特許請求の範囲】
【請求項１】
一端に吸込口と他端に排気口を有する本体ケース、前記吸込口の近傍に設けられた電動送風機、前記排気口の近傍に設けられた発熱体とから成る乾燥機体と、接続口と集塵室を有する集塵ケース体と清掃ブラシ体を有する吸込具から成る清掃具体と、熱風を移動させる熱風移動体に取り付けられる布団乾燥用のマット体から成る乾燥具体と、浮遊粉塵捕集用のフィルターを有する浮遊粉塵捕集具体を備え、寝具清掃時においては、前記乾燥機体の吸込口に前記清掃具体を取り付け、寝具乾燥時においては、前記乾燥機体の吸込口に前記浮遊粉塵捕集具体を、前記乾燥機体の排気口に前記乾燥具体をそれぞれ取り付けて使用することを特徴とする寝具清掃機能付き乾燥機。
【請求項２】
乾燥機体に浮遊粉塵捕集具体が取り付けられた時のみ、発熱体への通電を可能とした請求項１記載の寝具清掃機能付き乾燥機。
【請求項３】
寝具清掃時における電動送風機の通電操作の集塵用操作部は清掃具体に、寝具乾燥時における電動送風機や発熱体の通電操作の乾燥用操作部は浮遊粉塵捕集具体に、それぞれ設けたことを特徴とする請求項１記載の寝具清掃機能付き乾燥機。
【請求項４】
乾燥機体の排気口の近傍には、電動送風機と発熱体への通電用スイッチ乃至所定時間経過後に通電をオフするタイマーを設け、集塵ケース体の接続口を前記排気口に接続した際に、前記接続口は、前記通電用スイッチ乃至タイマーを操作可能としたことを特徴する請求項１記載の寝具清掃機能付き乾燥機。
【請求項５】
前記通電用スイッチ乃至タイマーは、電動送風機の回転数を減少させる制御体と接続していることを特徴とする請求項４記載の寝具清掃機能付き乾燥機。
【発明の詳細な説明】
【技術分野】
【０００１】
本発明は、寝具の乾燥は基より、清掃もできる寝具清掃機能付き乾燥機に関するものである。
【背景技術】
【０００２】
寝具には、人のフケや皮脂、髪の毛等が付着することで、これらがダニの餌となり多数のダニが生息しており、これらのダニにより刺され腫れたり、ダニの死骸やフンが、喘息アレルギー等の原因となっている。一般的に、このような状態を解決するために、寝具専用の吸込具により寝具の表面を主に吸引清掃する寝具清掃機や、寝具を高温にして、特に布団内部のダニを死滅させる布団乾燥機が存在している。しかしながらこれらは、寝具清掃機と布団乾燥機を別々に購入しなければならず、費用や収納場所等に課題が生じていた。このような、課題を解決するために、寝具清掃も容易に行えるよう、収塵袋とファンとモーター及びヒーター等を備えた布団乾燥機に、塵埃吸引用パイプの接続部を設けたもの（例えば、特許文献１参照）、が提案されていた。
【先行技術文献】
【特許文献】
【０００３】
【特許文献１】特開平５−１７７０９０号公報
【発明の概要】
【発明が解決しようとする課題】
【０００４】
しかしながら、上記特許文献１に記載の布団乾燥機は、一台で使用目的に応じて布団乾燥と清掃機能を行うことができ便利であるが、布団の乾燥の際、外気は、収塵袋を通過した後、ヒーターで温風化されてマットから吹き出て、所定時間布団を乾燥するが、この時、前記収塵袋には、布団清掃で捕集、堆積された各種塵埃が有り、これら塵埃には布団清掃を何回も繰り返し放置するほど、悪臭やカビ等が発生しやすく、これらが空気流に乗り、布団に付着や入り込むなどして、不衛生である。特に梅雨や夏場は、高湿度、高温等の条件が重なり要注意である。
【課題を解決するための手段】
【０００５】
従来の課題を解決する為に、請求項１の発明は、一端に吸込口と他端に排気口を有する本体ケース、前記吸込口の近傍に設けられた電動送風機、前記排気口の近傍に設けられた発熱体とから成る乾燥機体と、接続口と集塵室を有する集塵ケース体と清掃ブラシ体を有する吸込具から成る清掃具体と、熱風を移動させる熱風移動体に取り付けられる布団乾燥用のマット体から成る乾燥具体と、浮遊粉塵捕集用のフィルターを有する浮遊粉塵捕集具体を備え、寝具清掃時においては、前記乾燥機体の吸込口に前記清掃具体を取り付け、寝具乾燥時においては、前記乾燥機体の吸込口に前記浮遊粉塵捕集具体を、前記乾燥機体の排気口に前記乾燥具体をそれぞれ取り付けて使用することを特徴としている。請求項２の発明は、乾燥機体に浮遊粉塵捕集具体が取り付けられた時のみ、発熱体への通電を可能としたことを特徴としている。
【０００６】
請求項３の発明は、寝具清掃時における電動送風機の通電操作の集塵用操作部は清掃具体に、寝具乾燥時における電動送風機や発熱体の通電操作の乾燥用操作部は浮遊粉塵捕集具体に、それぞれ設けたことを特徴としている。請求項４の発明は、乾燥機体の排気口の近傍には、電動送風機と発熱体への通電用スイッチ乃至所定時間経過後に通電をオフするタイマーを設け、集塵ケース体の接続口を前記排気口に接続した際に、前記接続口は、前記通電用スイッチ乃至タイマーを操作可能としたことを特徴としている。請求項５の発明は、前記通電用スイッチ乃至タイマーは、電動送風機の回転数を減少させる制御体と接続していることを特徴としている。
【発明の効果】
【０００７】
本発明の請求項１では、乾燥機体に、寝具清掃のときは清掃具体を、寝具乾燥の時は、浮遊粉塵捕集具体と乾燥具体をそれぞれ取り付けて使用すればよく、便利である。更に、寝具乾燥時において、乾燥機体の吸込口側に専用の浮遊粉塵捕集具体を、取り付けて使用するので、従来例に見られるような、外気が集塵袋を通過しないので、寝具には悪臭等が移動し付着しないばかりか、室内の浮遊粉塵も除去でき、清潔空間が提供できるものである。特に、寝具に附着するダニやカビ等の細菌を効率的に退治、除去するために、初めに寝具を乾燥し、続けて寝具清掃が容易にできるものである。更に、冬等の寒い時期には、室内の浮遊粉塵を除去しながら、室内暖房としても使用できるものである。なお、前記浮遊粉塵捕集具体に、脱臭やマイナスイオン発生等の機能を付加すれば、より清潔空間が提供できるものである。請求項２の発明では、乾燥機体に浮遊粉塵捕集具体が取り付けられた時のみ、発熱体への通電を可能としたことで、寝具清掃時においては、誤って発熱体に通電され、室内を暖房したりすることなく、無駄な電力消費も、なくすことができるものである。
【０００８】
請求項３の発明では、集塵用操作部を清掃具体に、乾燥用操作部を浮遊粉塵捕集具体にとそれぞれ専用に設けることで、例えば、誤って、寝具清掃時において、乾燥機体に浮遊粉塵捕集具体と乾燥具体を、また、寝具乾燥等において、乾燥機体に清掃具体を、それぞれ取り付けても、発熱体には、非通電となり機能しないので、誤った使用が防止できるものである。請求項４の発明では、排気口と接続口とを接続可能とし、さらに、排気口と接続口とが接続されると、電動送風機と発熱体への通電を開始する通電用スイッチ乃至所定時間経過後に通電をオフするタイマーが、動作するよう形成されているので、寝具清掃で集塵室に捕集されたダニやカビ等を、所定時間温風を当てることで死滅させることができるので、集塵室でのダニやカビの繁殖を防止でき、衛生的である。なお、前記通電スイッチのＯＦＦ動作は、使用者が所定時間経過後に、電源コードをコンセントから抜くか、排気口と接続口との接続を分離してもよく、また、タイマーを用いれば、所定時間経過後に、自動的に通電がＯＦＦされるので、安心である。
【０００９】
請求項５の発明では、集塵ケース体の接続口を前記排気口に接続すると、電動送風機と発熱体とがそれぞれ通電を開始する。この時に、電動送風機は、寝具から強引に塵埃等を吸引するよう強力に形成されているために排気風も強く、発熱体の熱を素早く奪ってしまうことで、集塵ケース内の温度が、所定温度すなわちダニやカビ及び細菌等が死滅する温度まで上昇するのに時間がかかってしまう。この時間を短縮するためには、発熱体の容量を大きくする必要が生じるが、電動送風機の回転数を電気的に減少させる制御体を設けているので、排気風量を減少させることができる。この結果、通電時間の短縮や発熱体の大容量化対策等を解決でき、省エネにも貢献することができる。
【図面の簡単な説明】
【００１０】
【図１】本発明に関わる寝具清掃機能付き乾燥機の乾燥機体の斜視図である。
【図２】本発明に関わる寝具清掃機能付き乾燥機の乾燥機体の長手方向の断面図である。
【図３】本発明に関わる寝具清掃機能付き乾燥機の乾燥機体の電気配線図である。
【図４】本発明に関わる寝具清掃機能付き乾燥機の寝具清掃機の平面図である。
【図５】本発明に関わる寝具清掃機能付き乾燥機の寝具清掃機の寝具清掃時の側面図である。
【図６】本発明に関わる寝具清掃機能付き乾燥機の寝具清掃機の電気配線図である。
【図７】本発明に関わる寝具清掃機能付き乾燥機の乾燥機の寝具乾燥時の平面図である。
【図８】本発明に関わる寝具清掃機能付き乾燥機の浮遊粉塵捕集具体の斜視図である。
【図９】本発明に関わる寝具清掃機能付き乾燥機のマット体の斜視図である。
【図１０】本発明に関わる寝具清掃機能付き乾燥機の一部切り欠き寝具全面乾燥の状態図である。
【図１１】本発明に関わる寝具清掃機能付き乾燥機の一部切り欠き寝具乾燥の状態図である。
【図１２】本発明に関わる寝具清掃機能付き乾燥機の乾燥機の電気配線図である。
【図１３】本発明に関わる寝具清掃機能付き乾燥機の乾燥機体の排気口に集塵ケース体を取り付けた状態を示す一部切り欠き断面図である
【図１４】本発明に関わる寝具清掃機能付き乾燥機の他の実施例を示す寝具清掃機の使用状態側面図である。
【図１５】本発明に関わる寝具清掃機能付き乾燥機の他の実施例を示す寝具清掃機の集塵ケース体内を乾燥する状態の側面図である。
【発明を実施するための形態】
【００１１】
以下に、本発明の一実施例の形態の寝具清掃機能付き乾燥機の寝具清掃機における寝具清掃状態と、乾燥機における寝具乾燥状態及び集塵ケース体内を乾燥する状態等を、それぞれ示す構成を、図１乃至図１３を用いて説明する。なお、図において、Ｘは床面を示すものである。初めに、乾燥機体１の構成を図１から図３を用いて説明する。乾燥機体１は、前側に吸込口２と後側に排気口３とから成る左、右のケースからなる直方体状の本体ケース４と、該本体ケース４の上面に設けられた係り部５と、持ち運び用取っ手６と操作用ハンドル７から成るハンドル８と、本体ケース４の後方の両側に設けられた車輪９、９と、本体ケース４内の、吸込口２近傍に収納された電動送風機１０と、排気口３近傍に収納された発熱体１１とで構成されている。なお、電動送風機１０の排気側と発熱体１１は、ガイド体１２内に配置されており、電動送風機１０の排気風は、ガイド体１２の内壁に案内され発熱体１１の熱を奪い排気口３に移動される構成となる。また、吸込口２近傍には、電気接続口１３、１３が形成されており、その内部には、複数の凹端子１４、（１４Ａ、１４Ｂ、１４Ｃ）が設けられて、電動送風機１０や発熱体１１と電気的に接続されている。さらに、本体ケース４の後方にはプラグ付きの電源コード１５が設けられている。また、吸込口２の下方には、接続用受台１６が設けられている。
【００１２】
次に寝具清掃機２９の構成を、図４から図６を用いて説明する。清掃具体１７は、集塵ケース体１８と、該集塵ケース体１８に着脱自在に取り付けられた吸込具１９とで形成されており、集塵ケース体１８が、下方を接続用受台１６に上方を係り部５にそれぞれ着脱自在に乾燥機体１に保持されている。吸込具１９は、その内部に寝具Ｆの外表面から塵埃を吸引清掃する為の塵埃吸入口（図示せず）や清掃ブラシ体２０や走行車輪２１や、前記塵埃を集塵ケース体１８に移動させる連結管２２とで構成され、連結管２２が集塵ケース体１８の後述する接続口２３に、着脱自在に取り付けられている。集塵ケース体１８は、前方に連結管２２が接続される接続口２３、後方に吸込口２と接合される中間口２４、内部に吸込具１９からの塵埃を捕集する集塵室２５から成る前ケース６０と、該前ケース６０の上方に設けられた、主に電動送風機１０の回転等の電気的制御をする各種電子部品（図示せず）を有する制御基板２６に接続されたスイッチ等を有する集塵用操作部２７が設けられている。
【００１３】
なお、乾燥機体１と集塵ケース体１８が係り部５と接続用受台１６により接合されると、中間口２４の上方に設けられた複数の集塵用凸端子２８（２８Ａ、２８Ｂ、２８Ｃ）が、凹端子１４、（１４Ａ、１４Ｂ、１４Ｃ）に接合し、集塵用操作部２７により、電動送風機１０を電気的に制御可能とする。これらにより、寝具清掃機２９が構成される。また、集塵用操作部２７には、発熱体１１の操作は、一切出来ないよう形成されており、寝具清掃機２９使用の際に、誤操作等により発熱体１１が、発熱することはないので、排気口３から温風が出て、不要に室内を暖めることがない。また、集塵室２５には、塵埃を捕集及び堆積させる為のフィルター（図示せず）等が設けられ、前記塵埃は、特に構造は説明しないが、容易に集塵室２５から、外部に捨てられるものである。
【００１４】
次に寝具乾燥機３０の構成を、図７から図１２を用いて説明する。なお、図における矢印は温風通路である。寝具乾燥機３０は、乾燥機体１と、乾燥機体１の吸込口２に係り部５と接続用受台１６により着脱自在に接合連結される浮遊粉塵捕集具体３１と、排気口３に嵌合連結される乾燥具体３２から構成されている。浮遊粉塵捕集具体３１は、一側に外気取り入れ口６１、他側に清浄外気通過口３３を有する浮遊粉塵捕集ケース３４と、該浮遊粉塵捕集ケース３４の上面部に、主に電動送風機１０と発熱体１１の電気的制御をする各種電子部品を有する乾燥用制御基板３５に接続されたスイッチ等を有する乾燥用操作部３６と、浮遊粉塵捕集ケース３４の内部に、室内の浮遊塵埃を捕集するフィルター体３７とで構成されている。なお、浮遊粉塵捕集具体３１は、乾燥機体１と接合連結されると、清浄外気通過口３３の上部に取り付けられた複数の捕集用凸端子３８（３８Ａ、３８Ｂ、３８Ｃ）が、凹端子１４（１４Ａ、１４Ｂ、１４Ｃ）に接合し、乾燥用操作部３６により、電動送風機１０と発熱体１１の電気的制御が可能となる。なお、乾燥用制御基板３５は、電動送風機１０と発熱体１１への通電を所定時間経過後に停止するタイマー機能を有している。更に、浮遊粉塵捕集ケース３４の内部には、脱臭剤やマイナスイオン発生器等収納すれば、空気清浄機能が強化されることができるものである。
【００１５】
乾燥具体３２は、浮遊粉塵捕集具体３１と電動送風機１０と発熱体１１により清浄温風を移動させる熱風移動体３９と、寝具を乾燥するマット体４０で形成されている。熱風移動体３９は、一端に排気口３に嵌合連結される温風接続管４１と他端にＹ状の温風供給管４２と、中央部のホース４３とで形成されている。マット体４０は、直方体状の寝具収納袋６２と温風供給袋４４で形成され、寝具収納袋６２には、温風供給管４２を挿入保持する供給口Ａ４５と供給口Ｂ４６が、温風供給袋４４には温風供給口４４Ａがそれぞれ設けられている。温風供給袋４４は、上面が非通気で下面が通気の素材で構成され寝具収納袋６２に着脱自在に収納される。寝具収納袋６２は、直方体状で、上面はファスナー４７で開放自在に形成された通気性の素材より成る上蓋４８と下方は非通気性素材の収納袋４９と、該収納袋４９を上下に分割する通気素材から成る仕切シート５０より構成されている。なお、供給口Ａ４５は、仕切シート５０と上蓋４８との間に、供給口Ｂ４６は仕切シート５０と寝具収納袋６２の底面との間にそれぞれ形成さている。
【００１６】
また、図９における一点鎖線は、上蓋４８を開けた状態である。これにより、寝具Ｆを２枚乾燥させる時は、仕切シート５０上に寝具Ｆを敷き、この寝具Ｆに下面が接触するよう温風供給袋４４を載置し、この温風供給袋４４の上面と接触するようもう一枚の他の寝具Ｆを乗せて、上蓋４８をファスナー４７で閉じれば、温風は、仕切シート５０に接触する寝具Ｆと、収納袋４９に接触する他の寝具Ｆとを、それどれ同時乾燥でき、かつ、２枚の寝具Ｆは、寝具収納袋６２に収納されているので全面乾燥が可能となるものである。また、寒い時期において、寝具Ｆを温めたい時は、温風供給袋４４のみ、２枚の寝具Ｆ間に挟み温風を供給することで、寝具の温めが可能となり、気持ちよく睡眠する事が可能となる。なお、この時に、Ｙ状の温風供給管４２の片方は、閉口しておけば良い。
【００１７】
次に、集塵ケース体１８内を乾燥する状態を、図１３を用いて説明する。排気口３の近傍には、押しボタン５１が外部に突出するよう通電用スイッチ５２が収納され、排気口３に接続口２３が嵌合接続されると、接続口２３は押しボタン５１を押し、通電用スイッチ５２が電気的にＯＮ状態となる。乾燥制御体５３は、多数の電子部品より形成され、通電用スイッチ５２が電気的にＯＮ状態となると、電動送風機１０の回転数を所定数に減らしたり、発熱体１１への通電や、所定時間経過後に電動送風機１０や発熱体１１への通電を停止するタイマー等の制御を行うものである。なお、排気口３に熱風移動体３９を接合させたときには、通電用スイッチ５２は、動作しないものである。
【００１８】
この発明は、以上のように構成されており、寝具清掃機２９として使用の場合は、乾燥機体１に清掃具体１７を係り部５と接続用受台１６により接合固着して、寝具Ｆ上に載置し集塵用操作部２７を操作する。これにより電動送風機１０は運転を開始し、操作用ハンドル７を持ち寝具Ｆ上を移動させて、塵埃を清掃ブラシ体２０により集塵室２５内に移動して捕集する。なお、本体ケース４に車輪９、９、吸込具１９に走行車輪２１、２１がそれぞれ設けられているので、操作用ハンドル７に、乾燥機体１と清掃具体１７の全重量が、加わることがないので、操作性は比較的楽である。なお、操作用ハンドル７は、長さ調整が自在にできるようにしても、持ち運び用取っ手６に、着脱自在に形成しても良い。このような清掃作業を何回も繰り返していると、集塵室２５には、塵埃がたくさん溜まり、カビやダニ、悪臭等が発生しやすくなる恐れがあるが、そんなときは、乾燥機体１から、清掃具体１７を外し、排気口３に接続口２３を取り付けることで、通電用スイッチ５２がＯＮ状態となり、電動送風機１０と発熱体１１には通電が開始され、所定時間後、すなわち集塵室２５内のダニやカビ及び細菌等が死滅する温度に到達した後に、自動的に通電が停止するので、停止作業忘れも心配なく安心である。
【００１９】
また、寝具乾燥機３０を用いて寝具を乾燥する場合は、乾燥機体１に浮遊粉塵捕集具体３１と乾燥具体３２をそれぞれ取り付け、寝具収納袋６２に寝具Ｆを敷き、その上に温風供給袋４４を敷き、更に、この上に寝具Ｆを敷いて、ファスナー４７で上蓋４８を閉じ、温風供給管４２の片方は、供給口Ｂ４６に差込み、他方は供給口Ａ４５を通過して温風供給口４４Ａに差し込み、乾燥用操作部３６を操作することで、電動送風機１０と発熱体１１は、それぞれ通電が開始され、室内の外気は、フィルター体３７で濾過されて清浄空気となり、発熱体１１で温風と化し、マット体４０に入り、複数の寝具を同時に全面乾燥し、上蓋４８から室内に放出され、所定時間経過後、乾燥用制御基板３５に設けられたタイマー機能により通電を停止させる。これにより、同時に複数の寝具Ｆの全面乾燥すなわち、ダニやカビ等の細菌等を退治できることは基より、浮遊粉塵捕集具体３１により室内の浮遊粉塵も清浄化されるので、清潔である。また、寒い時期において、寝具を暖めたいときは、温風供給袋４４を寝具Ｆ間に挟み、通電すれば良いもので、その用途は多岐となり、便利である。なお、電動送風機１０の回転は、大容量が必要な寝具清掃機２９の使用時に比べ、低速としても良い。
【００２０】
図１４は、本発明の他の実施例であり、寝具清掃機２９０を用いて、寝具Ｆを清掃する場合を示す。寝具清掃機２９０は、乾燥機体１に集塵ケース体１８が取り付けられ、吸込具１９の連結管２２と集塵ケース体１８の接続口２３とを接続する吸塵用ホース体５４とで構成されている。吸塵用ホース体５４は、連結管２２に着脱自在に接続される握り部５５、電動送風機１０を電気的にＯＮ／ＯＦＦ操作する握り操作部５６とを有する手元ハンドル部５７と、接続口２３に着脱自在に接続されるホース管５８と、手元ハンドル部５７とホース管５８とを屈曲自在に接続する吸引ホース５９とで構成されている。この状態で、寝具Ｆを清掃する場合は、握り操作部５６を操作して、電動送風機１０を運転し、手元ハンドル部５７を持ち移動することで、寝具乾燥機３０に比べ軽い操作力で清掃できるものである。なお、電動送風機１０の運転は、集塵用操作部２７で行っても良い。
【００２１】
図１５は、本発明の他の実施例であり、寝具清掃機２９０を用いて、寝具Ｆを清掃した後、集塵室２５を温風乾燥する場合を示す。吸塵用ホース体５４の手元ハンドル部５７を、排気口３に差し込むと通電用スイッチ５２が電気的にＯＮ状態となり、電動送風機１０は低速で、発熱体１１は発熱し、温風循環が所定時間行われた後、停止する。これにより集塵室２５内の塵埃に付着していたカビやダニ、細菌等は、死滅させることができ、衛生的である。本発明は、以上のような構成、すなわち、乾燥機体を寝具清掃と寝具乾燥とに共用化して用いることで、容易に寝具清掃と寝具乾燥とができる。特に寝具の乾燥を行いダニや雑菌を退治し、その後、素早くこれらを清掃できるので、衛生的である。
【００２２】
なお、本発明の主旨を逸脱しない範囲で、さまざまな実施の形態をとることができるものである。
【産業上の利用可能性】
【００２３】
本発明は、寝具清掃を行う場合は、乾燥機体に清掃具体を取り付ければよく、寝具乾燥を行う場合は、乾燥機体に浮遊粉塵捕集具体と乾燥具体を取り付ければ良いもので、乾燥機体を共用化でき、寝具の清掃と、乾燥が自在に容易に実施できる寝具清掃機能付き乾燥機として広く好適に活用することができる。
【符号の説明】
【００２４】
１  乾燥機体
２  吸込口
３  排気口
４  本体ケース
５  係り部
６  持ち運び用取っ手
７  操作用ハンドル
８  ハンドル
９  車輪
１０  電動送風機
１１  発熱体
１２  ガイド体
１３  電気接続口
１４  凹端子
１５  電源コード
１６  接続用受台
１７  清掃具体
１８  集塵ケース体
１９  吸込具
２０  清掃ブラシ体
２１  走行車輪
２２  連結管
２３  接続口
２４  中間口
２５  集塵室
２６  制御基板
２７  集塵用操作部
２８  集塵用凸端子
２９、２９０  寝具清掃機
３０  寝具乾燥機
３１  浮遊粉塵捕集具体
３２  乾燥具体
３３  清浄外気通過口
３４  浮遊粉塵捕集ケース
３５  乾燥用制御基板
３６  乾燥用操作部
３７  フィルター体
３８  捕集用凸端子
３９  熱風移動体
４０  マット体
４１  温風接続管
４２  温風供給管
４３  ホース
４４  温風供給袋
４４Ａ  温風供給口
４５  供給口Ａ
４６  供給口Ｂ
４７  ファスナー
４８  上蓋
４９  収納袋
５０  仕切りシート
５１  押しボタン
５２  通電用スイッチ
５３  乾燥制御体
５４  吸塵用ホース体
５５  握り部
５６  握り操作部
５７  手元ハンドル部
５８  ホース管
５９  吸引ホース
６０  前ケース
６１  外気取り入れ口
６２  寝具収納袋
Ｆ  寝具
Ｘ  床面
【図１】
2016059476.tif 000003
【図２】
2016059476.tif 000004
【図３】
2016059476.tif 000005
【図４】
2016059476.tif 000006
【図５】
2016059476.tif 000007
【図６】
2016059476.tif 000008
【図７】
2016059476.tif 000009
【図８】
2016059476.tif 000010
【図９】
2016059476.tif 000011
【図１０】
2016059476.tif 000012
【図１１】
2016059476.tif 000013
【図１２】
2016059476.tif 000014
【図１３】
2016059476.tif 000015
【図１４】
2016059476.tif 000016
【図１５】
2016059476.tif 000017